(57)【要約】      （修正有）【課題】補強層を有する装飾的複合材をパネルに結合させるための方法及び装置の提供。【解決手段】装飾層３０２、及び装飾層３０２に結合された第１の補強層３０４を含む。該装置は、力を第１の補強層３０４に加えて、第１の補強層３０４のコイリングを低減させるコイルリダクション層３０６を含み、コイルリダクション層３０６に付けられた接着剤層３０８を含み、装飾層３０２がパネル３１０に結合されることを可能にする。第１の補強層３０４の堅さは、第１の補強層３０４が、第１の補強層３０４と装飾層３０２との間に配置されたガス又は蒸気のうちの少なくとも一方によって加えられた力を分散させることを可能にし、パネル３１０から装飾層３０２の一部分が分離することを抑制する。【選択図】図３
2018034496.tif 000002
【特許請求の範囲】
【請求項１】
装飾層（３０２）、
前記装飾層（３０２）に結合された、堅さを有する第１の補強層（３０４）、
前記装飾層（３０２）に結合された前記第１の補強層（３０４）に結合されたコイルリダクション層（３０６）であって、第１の力を前記第１の補強層に加えて、前記装飾層（３０２）によって加えられた反対向きの第２の力に反作用し、前記第１の補強層（３０４）のコイリングを低減させる、コイルリダクション層（３０６）、及び
前記第１の補強層（３０４）に結合された前記コイルリダクション層（３０６）に付けられ、前記装飾層（３０２）がパネル（３１０）に結合されることを可能にする、接着剤層（３０８）を備え、
前記第１の補強層（３０４）の前記堅さが、前記第１の補強層（３０４）が前記第１の補強層（３０４）と前記装飾層（３０２）との間に配置されたガス又は蒸気のうちの少なくとも一方によって加えられた力を分散させることを可能にし、前記パネル（３１０）から前記装飾層（３０２）の一部分が剥離することを抑制する、装置。
【請求項２】
前記第１の補強層（３０４）が、前記ガス又は蒸気のうちの少なくとも一方によって加えられた力を消散させて、前記パネル（３１０）から前記装飾層（３０２）の前記一部分が剥離することを抑制する、堅さを有する樹脂層を含む、請求項１に記載の装置。
【請求項３】
前記第１の補強層（３０４）が、予め含浸された層である、請求項２に記載の装置。
【請求項４】
前記装飾層（３０２）と前記第１の補強層（３０４）との間に配置された第２の補強層（４０２）を更に含む、請求項１から３のいずれか一項に記載の装置。
【請求項５】
前記第２の補強層（４０２）が、耐火性を提供するフォイル層を含む、請求項４に記載の装置。
【請求項６】
前記コイルリダクション層（３０６）が、ポリフッ化ビニルのフィルムである、請求項１に記載の装置。
【請求項７】
前記第１の補強層（３０４）の前記堅さが、前記パネル（３１０）から前記装飾層（３０２）の前記一部分が剥離することを防止するか又は前記装飾層（３０２）の前記一部分と前記パネル（３１０）との間の剥離の距離を低減させるうちの少なくとも一方である、請求項１から６のいずれか一項に記載の装置。
【請求項８】
接着ライナー（６０４）を介して共に結合された装飾タイル（６０２）を更に含み、前記装飾タイル（６０２）が、前記装飾層（３０２）、前記第１の補強層（３０４）、前記コイルリダクション層（３０６）、及び前記接着剤層（３０８）を含む、請求項１から７のいずれか一項に記載の装置。
【請求項９】
前記装飾タイル（６０２）が複数の行と複数の列で組み立てられ、前記接着ライナー（６０４）が、前記装飾タイル（６０２）の前記複数の列、及び、前記複数の行の間の格子を形成する、請求項８に記載の装置。
【請求項１０】
前記接着ライナー（６０４）が、湾曲した表面に前記装飾タイル（６０２）が結合されることを可能にするように柔軟である、請求項８に記載の装置。
【請求項１１】
前記接着ライナー（６０４）が、前記装飾タイル（６０２）の各々の前記装飾層（３０２）から前記ガス又は蒸気のうちの少なくとも一方を通気して放出する透過性材料から成り、前記装飾タイル（６０２）の各々の前記装飾層（３０２）が前記パネル（３１０）から剥離することを防止する、請求項８に記載の装置。
【請求項１２】
パネルを装飾するための手段、
前記装飾するための手段に結合された補強するための手段、
前記補強するための手段のコイリングを低減させるための手段であって、前記装飾するための手段に結合された前記補強するための手段に結合され、第１の力を前記補強するための手段に加えて、前記装飾するための手段によって加えられた反対向きの第２の力に反作用し、前記補強するための手段のコイリングを低減させるための手段、及び
前記補強するための手段に結合された前記コイリングを低減させるための手段に付けられ、前記装飾するための手段がパネルに結合されることを可能にする、結合させるための手段を備え、
前記補強するための手段が堅さを有し、前記堅さが、前記補強するための手段が前記補強するための手段と前記装飾するための手段との間に配置されたガス又は蒸気のうちの少なくとも一方によって加えられた力を分散させることを可能にし、前記パネルから前記装飾するための手段の一部分が剥離することを抑制する、装置。
【請求項１３】
前記補強するための手段が、前記パネルから前記装飾するための手段の前記一部分が剥離することを防止するか又は前記装飾するための手段の前記一部分と前記パネルとの間の剥離の距離を低減させるうちの少なくとも一方である、請求項１２に記載の装置。
【請求項１４】
堅さを有する第１の補強層（３０４）を装飾層（３０２）に結合させること、
コイルリダクション層（３０６）を前記装飾層（３０２）に結合された前記第１の補強層（３０４）に結合させることであって、前記コイルリダクション層（３０６）が、第１の力を前記第１の補強層（３０４）に加えて、前記装飾層（３０２）によって加えられた反対向きの第２の力に反作用し、前記第１の補強層（３０４）のコイリングを低減させる、結合させること、及び
接着剤層（３０８）を前記第１の補強層（３０４）に結合された前記コイルリダクション層（３０６）に付けて、前記装飾層（３０２）がパネル（３１０）に結合されることを可能にすることを含み、
前記第１の補強層（３０４）の前記堅さが、前記第１の補強層（３０４）が前記第１の補強層（３０４）と前記装飾層との間に配置されたガス又は蒸気のうちの少なくとも一方によって加えられた力を分散させることを可能にし、前記パネル（３１０）から前記装飾層（３０２）の一部分が剥離することを抑制する、方法。
【請求項１５】
前記第１の補強層（３０４）の樹脂層を硬化させることを更に含み、前記第１の補強層（３０４）が、前記樹脂層と繊維強化層を含む予め含浸された層である、請求項１４に記載の方法。
【請求項１６】
前記第１の補強層（３０４）を前記装飾層（３０２）に結合させることが、前記第１の補強層（３０４）を第２の補強層（４０２）に結合させること及び前記第２の補強層（４０２）を前記装飾層（３０２）に結合させることを含む、請求項１４又は１５に記載の方法。
【請求項１７】
接着ライナー（６０４）を介して共に結合された装飾タイル（６０２）の格子を形成することを更に含み、前記装飾タイル（６０２）が、前記装飾層（３０２）、前記第１の補強層（３０４）、前記コイルリダクション層（３０６）、及び前記接着剤層（３０８）を含む、請求項１４から１６のいずれか一項に記載の方法。
【請求項１８】
前記接着ライナー（６０４）を前記装飾タイル（６０２）のうちの第１のものの第１の端部に付けること、及び
前記装飾タイル（６０２）のうちの第２のものの第２の端部を前記装飾タイル（６０２）のうちの前記第１のものの前記第１の端部に結合させることによって、
前記装飾タイル（６０２）の第１の行を形成することを更に含む、請求項１７に記載の方法。
【請求項１９】
前記接着ライナー（６０４）を前記装飾タイル（６０２）の前記第１の行（６０６）の第３の端部に付けること、及び
前記装飾タイル（６０２）の第２の行（６０８）の第４の端部を前記装飾タイル（６０２）の前記第１の行（６０６）の前記第３の端部に結合させることによって、
前記装飾タイル（６０２）の列を形成することを更に含む、請求項１８に記載の方法。
【請求項２０】
前記接着ライナー（６０４）を前記装飾タイル（６０２）の端部に付けることを更に含み、前記接着ライナー（６０４）が、湾曲した表面に前記装飾タイル（６０２）が結合されることを可能にするように柔軟である、請求項１７から１９のいずれか一項に記載の方法。
【発明の詳細な説明】
【技術分野】
【０００１】
本特許出願は、広くは、装飾層に関し、特に、補強層を有する装飾的複合材をパネルに結合させるための方法及び装置に関する。
【背景技術】
【０００２】
輸送手段（例えば航空機、バス、列車、トラクタートレーラー、船舶など）、ビルディング、及び／または他の構造物（例えば広告用掲示板）は、公衆が視認可能な表面を含む。これらの表面は、しばしば、美観、識別、及び／または広告の目的のための、装飾的画像を含む。例えば、航空機の表面のうちのあるものは、その航空機に関連する航空会社を識別させる装飾的画像を含んでいる。ある例では、装飾的画像が、輸送手段、ビルディング、及び／又は他の構造物の表面に結合された化粧板上に形成されている。化粧板と表面の間にガス及び／又は蒸気（例えば、水蒸気）のポケットが形成され、それによって、化粧板の隣接する部分に気泡が生じ得る。
【発明の概要】
【０００３】
一実施例では、装置が、装飾層、及び装飾層に結合された第１の補強層を含む。第１の補強層は堅さを有する。例示的な装置は、装飾層に結合された第１の補強層に結合されたコイルリダクション層（ｃｏｉｌ  ｒｅｄｕｃｔｉｏｎ  ｌａｙｅｒ）を含む。コイルリダクション層は、第１の力を第１の補強層に加えて、装飾層によって加えられた反対向きの第２の力に反作用し、第１の補強層のコイリング（ｃｏｉｌｉｎｇ）を低減させる例示的な装置は、第１の補強層に結合されたコイルリダクション層に付けられた接着剤層を含み、装飾層がパネルに結合されることを可能にする。第１の補強層の堅さは、第１の補強層が、第１の補強層と装飾層との間に配置されたガス又は蒸気のうちの少なくとも一方によって加えられた力を分散させることを可能にし、パネルから装飾層の一部分が剥離することを抑制する。
【０００４】
別の一実施例では、装置が、パネルを装飾するための手段、装飾するための手段に結合された補強するための手段、及び補強するための手段のコイリングを低減させるための手段を含む。コイリングを低減させるための手段は、装飾するための手段に連結された補強するための手段に結合されている。コイリングを低減させるための手段は、第１の力を補強するための手段に加えて、装飾するための手段によって加えられた反対向きの第２の力に反作用し、補強するための手段のコイリングを低減させる。例示的な装置は、補強するための手段に結合されたコイリングを低減させるための手段に付けられた結合させるための手段を含み、装飾するための手段がパネルに結合されることを可能にする。補強するための手段は堅さを有し、その堅さは、補強するための手段が、補強するための手段と装飾するための手段との間に配置されたガス又は蒸気のうちの少なくとも一方によって加えられた力を分散させることを可能にし、パネルから装飾するための手段の一部分が剥離することを抑制する。
【０００５】
別の一実施例では、方法が、第１の補強層を装飾層に結合させることを含む。第１の補強層は堅さを有する。例示的な方法は、コイルリダクション層を装飾層に結合された第１の補強層に結合させることを含む。コイルリダクション層は、第１の力を第１の補強層に加えて、装飾層によって加えられた反対向きの第２の力に反作用し、第１の補強層のコイリングを低減させる例示的な方法は、接着剤層を第１の補強層に結合されたコイルリダクション層に付けて、装飾層がパネルに結合されることを可能にすることを含む。第１の補強層の堅さは、第１の補強層が、第１の補強層と装飾層との間に配置されたガス又は蒸気のうちの少なくとも一方によって加えられた力を分散させることを可能にし、パネルから装飾層の一部分が剥離することを抑制する。
【図面の簡単な説明】
【０００６】
【図１】本明細書の教示による、例示的な航空機を示す。
【図２Ａ】既知の装飾層と既知のパネルの一部分の断面図を示す。
【図２Ｂ】図２Ａの既知の装飾層と既知のパネルの一部分の分解図を示す。
【図３】本明細書の教示による、装飾層、補強層、及びコイルリダクション層を含む、例示的な装飾的複合材の断面図を示す。
【図４】本明細書の教示による、装飾層、補強層、及びコイルリダクション層を含む、別の例示的な装飾的複合材の別の断面図を示す。
【図５】本明細書の教示による、装飾層、補強層、及びコイルリダクション層を含む、別の例示的な装飾的複合材の別の断面図を示す。
【図６】本明細書の教示による、図３、図４、及び／又は図５の例示的な複合材の装飾タイルの例示的な格子の斜視図を示す。
【図７】本明細書の教示による、図３の例示的な装飾的複合材、図４の例示的な装飾的複合材、図５の例示的な装飾的複合材、及び／又は図６の例示的な装飾タイルの各々を組み立てるための例示的な方法のフローチャートを示す。
【図８】本明細書の教示による、図６の例示的な装飾タイルの例示的な格子を組み立てるための例示的な方法のフローチャートを示す。
【発明を実施するための形態】
【０００７】
図面は原寸に比例しない。代わりに、複数の層及び部位を明確にするため、図中の各層の厚さは拡大されていてよい。図面及び添付の記載の全体を通して、可能な箇所にはすべて、同一のまたは類似の部分を指すために同じ参照番号が使用される。
【０００８】
公共の空間にある表面（例えば広告用掲示板、ビルディングの壁、輸送手段のパネルなど）は、しばしば、美観、情報、及び／又は広告の目的のための装飾的画像を含む。例えば、既知の航空機及び／または他の輸送手段（例えばバス、列車、トラクタートレーラー、船舶など）は、しばしばその表面に識別及び／又は広告の目的のための装飾的画像を含む。ある例では、航空機の内装の可視表面は、その航空機に関連する各航空会社を識別させる装飾的画像を含んでいる。
【０００９】
ある既知の装飾的画像は、対応する表面に結合された装飾層（例えば化粧板）上に形成されている。例えば、装飾層は、接着剤層を介して航空機のパネルに結合されている。ある例では、装飾層又は化粧板の一部は、結合されている表面から剥離し得る。例えば、化粧板と表面の間にガス及び／又は蒸気（例えば、水蒸気）のポケットが形成され得、それによって、化粧板の隣接する部分に気泡が生じ得る。化粧板と表面とがこうして剥離することは、美観目的にとって望ましくない（例えば、化粧板に気泡が発生することは、美観上、魅力的でない）ことであり、及び／又は時間の経過に伴って化粧板の損傷や表面からの更なる剥離（例えば層間剥離）を生じさせ得る。
【００１０】
ある例では、化粧板が最初に表面に結合されるときに、ガス及び／又は蒸気のポケットが、化粧板とパネル表面（例えば、航空機のコンパートメントの内装面など）の間に捕捉される。即ち剥離は、当初、化粧板が表面に結合されたときに、化粧板が表面と同一平面上に置かれていないことに起因する。
【００１１】
他の例では、化粧板と表面の間の剥離を生じさせるガス及び蒸気のポケットは、ガス及び／又は蒸気がパネルの材料から漏出し、化粧板とパネルの間に捕捉される（例えば、気泡が形成される）結果として形成される。化粧板が航空機のパネルに結合されるとき、パネルのコア層（例えば、ハニカムコア、発泡コアなど）からガス及び蒸気（例えば、水蒸気）が放出され、続いて化粧板とパネル表面の間に捕捉され得る。例えば、ガス及び／又は蒸気は、パネルのコア層とパネルの外部環境との間に圧力差及び／又は温度差があるときに、パネルのコア層から漏出し及び／又は放出され得る。例えば、ガス及び／又は蒸気は、コア層のより近くの圧力が化粧板のより近くの圧力よりも大きいときに、コア層から化粧板に向かって移動し得る。化粧板がほぼ不浸透性及び／又は無孔性の材料からできていて、コア層内のガス及び／又は蒸気が化粧板を通り抜けることが抑止及び／又は阻害される結果として、ガス及び／又は蒸気は、化粧板とパネルの間に捕捉される。捕捉されたガス及び／又は蒸気によって、化粧板とパネルとの間に内圧が作り出されて化粧板及び／又は表面に力が集中して加えられ、それによって、化粧板のパネル表面から（例えば、航空機のコンパートメントの内装面などから）の剥離が生じる。更に又は代替的に、化粧板とパネルとの間に捕捉されるガス及び／又は蒸気は、パネル及び／又は化粧板の構成要素間の（例えば、パネルのコア層と補強層の間、補強層と化粧板に結合された接着剤の間などの）相互作用（例えば、化学反応、物理反応など）にも起因し得る。
【００１２】
ガス及び／又は蒸気が、パネルに結合された装飾層の一部分がパネルから剥離することをもたらすことを抑制するために、本明細書で開示される例示的な方法及び装置は、パネルと装飾層との間に配置された堅さを有する補強層を含み、ガス及び／又は蒸気によって装飾層に加えられた集中力を消散させる。例えば、パネルから逃げる及び／又は放出されるガス及び／又は蒸気は、装飾層と補強層との間に補足され、結果として、装飾層の隣接する部分に集中力を加える内圧を生成する。補強層の堅さは、補強層が、捕捉されたガス及び／又は蒸気によって加えられた集中力を装飾層のより大きなセクションにわたり消散させることを可能にして、装飾層の隣接する部分とパネルとの間の剥離を防止及び／又は抑制する（例えば、装飾層が泡立つことを防止及び／又は抑制する）及び／又は装飾層の一部分とパネルとの間の剥離の距離を低減させる（例えば、泡立ちの視認を低減させる）。更に、補強層の堅さは、パネルの表面を、紙やすりをかける、掃引（ｓｗｅｅｐ）する、及び／又はさもなければ準備する必要なしに、装飾層がパネルに結合されたときに、視認可能な不規則及び／又は汚染物質（例えば、マークオフ（ｍａｒｋ‐ｏｆｆ）、ピンホール、汚染物質、ステップなど）を隠し及び／又はさもなければカバーすることによる、装飾層をパネルに結合させることに関連する製造時間及び／又は費用を削減する。
【００１３】
本明細書で開示される実施例では、補強層（例えば、第１の補強層）が、装飾層に結合され、コイルリダクション層が、装飾層に結合された補強層に結合され、接着剤層が、補強層に結合されたコイルリダクション層に付けられ、装飾層がパネルに結合されることを可能にする。コイルリダクション層（例えば、Ｔｅｄｌａｒ（登録商標）などのポリフッ化ビニル）は、装飾層によって加えられた反対向きの力（例えば、第２の力）に反作用する力（例えば、第１の力）を加えることによって、補強層のコイリングを低減させる。補強層は、例えば、繊維強化層及び／又は樹脂層から成る。ある実施例では、補強層が、繊維強化層と予め含浸された樹脂を有する樹脂層を含む、予め含浸された層である。
【００１４】
ある実施例では、別の補強層（例えば、第２の補強層）が、装飾層と第１の補強層との間に配置される。第１の補強層は、第２の補強層に結合され、第２の補強層は、装飾層に結合され、第２の補強層を第１の補強層と装飾層との間に配置する。第２の補強層は、フォイル層（例えば、アルミニウムフィルムの層）及び／又は耐火性を提供する他の層を含み得る。
【００１５】
ある実施例では、湾曲した表面に結合され得る装飾タイルの格子が形成される。例えば、格子は、装飾タイルの行と列から形成される。装飾タイルの各々は、装飾層、補強層、コイルリダクション層、及び接着剤層を含む。装飾タイルは、柔軟な接着ライナーを介して共に結合され、湾曲した表面に装飾タイルが結合されることを可能にする。ある実施例では、接着ライナーが、それぞれのタイルの各々の装飾層からガス及び／又は蒸気を通気して放出するように構成された透過性材料から成り、装飾タイルの装飾層がパネルから剥離することを防止する。装飾タイルの格子を形成するために、接着ライナーが装飾タイルの端部に付けられる。例えば、装飾タイルの端部（例えば、第１の装飾タイルの第１の端部）は、隣接する装飾タイルの端部（例えば、第２の装飾タイルの第２の端部）に結合される。
【００１６】
本明細書で使用される際に、「結合させる」、「結合された」、及び「結合している」という用語は、直接的又は間接的に、１つの物体を別の物体に（例えば、１つの層を別の層に）取り付けることを意味する。例えば、第１の物体の表面が、第２の物体の表面に対して、両者の間に如何なる他の物体も介在しない状態で接しているならば、第１の物体は第２の物体に直接的に取り付けられており、したがって、結合されている。第１の物体が、第２の物体に直接的に接触していないが、代わりに第１の物体と第２の物体の間に位置する中間物体（例えば、層）を介して第２の物体に固着されているならば、第１の物体は第２の物体に間接的に取り付けられており、したがって、結合されている。
【００１７】
次に、図面を見ると、図１は、胴体１０４から横方向外向きに延びる翼１０２（例えば、右翼と左翼）を含む、例示的な航空機１００を示す。示される実施例の翼１０２の各々は、パイロン１０８を介して航空機のエンジン１０６を支持する。示される実施例の胴体１０４内には、コンパートメント１１０（例えば、貨物室、客室、操縦室など）が配置されている。翼１０２と胴体１０４は、航空機１００の外表面１１２を画定する。
【００１８】
本明細書で開示される例示的な装飾層及び例示的なパネルを検討する前に、図２Ａ及び図２Ｂに関連して、既知のパネル２０２及び既知の装飾層２０４の簡潔な説明が提供される。より具体的には、図２Ａは、既知の装飾層２０４及び既知のパネル２０２の一部分の断面図であり、図２Ｂは、既知の装飾層２０４及び既知のパネル２０２の一部分の分解図である。
【００１９】
図２Ａ及び図２Ｂに示すように、既知のパネル２０２は、コア層２０６及び、コア層２０６に結合された補強層２０８を含む。補強層２０８の第１の表面２１０は、コア層２０６に係合し、反対側の第２の表面２１２は、パネル２０２の表面２１４を画定する。既知のパネル２０２の補強層２０８は、部分的に多孔性及び／又は透過性である材料（例えば、樹脂、強化繊維など）から成っていてよく、それによって、ガス及び／又は蒸気（例えば、水蒸気）の一部は、補強層２０８を通り抜け得る。更に、（図２Ａ及び図２Ｂに示す既知のパネル２０２の一部には示されていないが）別の補強層が、補強層２０８とは反対側のコア層２０６の別の表面と係合しており、補強層２０８、コア層２０６、及びもう１つの反対側の補強層とで、サンドイッチ構造の複合材が形成される。
【００２０】
更に、既知の装飾層２０４は、既知のパネル２０２上に表示される装飾的特徴（例えば、色、パターン、ロゴ、テキストなど）を含む。図２Ａで示されるように、装飾層２０４は、パネル２０２の表面２１４に結合されており、それによって、装飾層２０４の装飾的特徴をパネル２０２上に表示することを可能にしている。例えば、装飾層２０４は、補強層２０８の第２の表面２１２に接着剤によって結合されている。
【００２１】
ある例では、パネル２０２のコア層２０６内に、ガス及び／又は蒸気（例えば、水蒸気）が捕捉されている（例えば、パネル２０２のサンドイッチ構造の複合材の、補強層２０８と反対側の補強層との間に捕捉されている）。コア層２０６とパネル２０２の外部環境との間で圧力差及び／温度差が生じているとき（例えば、コア層２０６のより近くの圧力が装飾層２０４のより近くの圧力よりも大きいとき）、ガス及び／または蒸気が、パネル２０２のコア層２０６から漏出し、及び／または放出される。他の例では、パネル２０２のガス及び／又は蒸気が、パネル２０２の材料（例えば、ハニカムコア、発泡コア、樹脂、繊維補強材料など）及び／又は装飾層２０４（例えば、化粧板、接着層など）の材料間の相互作用（例えば、化学反応、物理反応など）にも起因し得る。
【００２２】
パネル２０２に結合された装飾層２０４がほぼ不浸透性及び／又は無孔性の材料からなるため、コア層２０６から放出された蒸気及び／又はガスは補強層２０８を通り抜け、装飾層２０４とパネル２０２の表面２１４との間で捕捉される。捕捉された蒸気及び／又はガスは内圧を作り出し、この内圧によって、装飾層２０４及び／又はパネル２０２の表面２１４の隣接する部分に集中力が加えられる。例えば、加えられた力によって装飾層２０４の一部がパネル２０２の表面２１４から離れるように押され、それによって装飾層２０４のこの部分が、パネル２０２から剥離する。言い換えれば、既知のパネル２０２の蒸気及び／又はガスは、既知の装飾層２０４内に気泡を形成し、この気泡は美観的に魅力的でない可能性があり、及び／又は装飾層２０４を損傷し得る。
【００２３】
図３は、本明細書で開示される教示による、例示的な装飾的複合材３００を示す。図３で示されるように、装飾的複合材３００は、装飾層３０２、補強層３０４（例えば、第１の補強層）、コイルリダクション層３０６、接着剤層３０８を含み、それらの全てがパネル３１０に結合されている。以下で更に詳細に説明されるように、補強層３０４は、捕捉されたガス及び／又は蒸気によって加えられた集中力を消散させ、装飾層３０２の一部分とパネル３１０との間の剥離の距離を限定し、最小化し、及び／又は低減させ（例えば、装飾層３０２の泡立ちを低減させ）、コイルリダクション層３０６は、補強層３０４のコイリングを低減させ、装飾的複合材３００がパネル３１０に結合されることを可能にする。
【００２４】
例示的な実施例では、装飾的複合材３００が、装飾層３０２、装飾層３０２に結合された補強層３０４、装飾層３０２とは反対側の補強層３０４に結合されたコイルリダクション層３０６を含み、接着剤層３０８がコイルリダクション層３０６に付けられ、装飾的複合材３００がパネル３１０に結合されることを可能にする。接着剤層３０８は、パネル３１０と係合する装飾的複合材３００の内面３１２を画定し、装飾層３０２は、反対側の表面３１４を画定し、装飾的特徴を表示する。
【００２５】
示されている実施例の装飾層３０２は、装飾的特徴（例えば、色、パターン、ロゴ、テキストなど）を含み、パネル３１０に結合され、装飾的特徴がパネル３１０によって形成された表面上（例えば、図１の航空機１００の外面１１２及び／又は航空機１００のコンパートメント１１０内に配置された箱（例えば、荷物箱）、ライニング（例えば、側壁、天井などのライニング）、据え付け品（例えば、モニュメント、クローゼット、乗務員休憩所、洗面所など）などの表面上）に表示されることを可能にする。例えば、装飾層３０２は、航空機１００の外面１１２に結合され、航空機１００に関連する航空会社を特定し及び／又は宣伝広告する。装飾層３０２は、ポリフッ化ビニル（Ｔｅｄｌａｒ（登録商標））、ポリフッ化ビニリデン、及び／又は審美的外観、耐ＵＶ性、耐火性、耐化学性、色の耐久性、強度などの装飾層３０２の特性を生み出す任意の他の不浸透性材料から成る。例えば、本教示から逸脱することなしに、装飾層３０２は、装飾層３０２がパネル３１０に耐火炎浸透性を提供することを可能にする難燃性の添加剤を含み得る。パネル３１０（例えば、航空機１００の外面１１２及び／又はコンパートメント１１０内の表面）には、装飾層３０２が結合される。
【００２６】
例えば、装飾層３０２に結合された補強層３０４は、繊維強化層及び／又は樹脂層を含む。補強層３０４が繊維強化層を含む実施例では、繊維強化層が、繊維ガラス、グラファイトクロス、合成繊維（例えば、アラミド繊維）、天然繊維（例えば、木材、亜麻、セルロース、ジュート、大麻、藁、スイッチグラス、ケナフ、綿、コイア、竹など）、これらの組合せ、及び／又は補強層３０４に強度（例えば、圧縮強度）を提供する任意の他の材料から成り得る。ある実施例において、補強層３０４は、繊維強化層が樹脂で予め含浸されている（例えば、樹脂が、補強層３０４の形成の際に予め乾燥されているが予め硬化されていない）、予め含浸された層（すなわち、プリプレグ）である。補強層３０４が樹脂層を含む実施例では、樹脂が、硬化されたときに、補強層３０４に堅さ（例えば、柔軟性、たわみ、変形などに対する抵抗性）を提供する。堅さは、補強層３０４が、装飾層３０２に作用する集中力を消散させ、装飾層３０２の一部分とパネル３１０との間の剥離の距離を限定し、最小化し、及び／又は低減させることを可能にする。更に、ある実施例において、補強層３０４は、補強層３０４の樹脂が、装飾的複合材３００の隣接する層（例えば、装飾層３０２、コイルリダクション層３０６）と共硬化されない結果として、少なくとも部分的に透過性及び／又は多孔性である。
【００２７】
示されている実施例では、コイルリダクション層３０６が、装飾層３０２に結合された補強層３０４に結合されている。図３で示されているように、コイルリダクション層３０６は、補強層３０４の内面３１６に結合され、装飾層３０２は、補強層３０４の反対側の表面３１８に結合されている。ある実施例では、装飾層３０２が、力を補強層３０４の表面３１８にかける。例えば、装飾層３０２と補強層３０４の異なる材料が、装飾的複合材３００を形成するために加えられた熱及び／又は圧力に対して異なるように反応した結果として、その力が加えられる。装飾層３０２によって加えられた力は、補強層３０４が、したがって、装飾的複合材３００が、曲がることをもたらし、それによって、装飾的複合材３００をパネル３１０に結合させることが困難になり得る。補強層３０４、したがって、装飾的複合材３００が曲がることを防止及び／又は抑制するために、コイルリダクション層３０６は、コリルリダクション層３０６が補強層３０４の内面３１６に力をかけることをもたらす材料（例えば、Ｔｅｄｌａｒ（登録商標）などのポリフッ化ビニル）から成る。すなわち、補強層３０４がコイリングすることを防止及び／又は抑制するために、コイルリダクション層３０６は、補強層３０４の内面３１６に力（例えば、第１の力）を加え、装飾層３０２によって表面３１８に加えられる反対向きの実質的に等しい力（例えば、第２の力）に反作用する。例えば、コイルリダクション層３０６の材料は、装飾層３０２の材料のものと実質的に等しい熱膨張係数（ＣＴＥ）を有し、コイルリダクション層３０６が、補強層３０４に反作用力（例えば、コイルリダクション力）を加えることを可能にする。ＣＴＥは、温度における変化に対する材料の膨張又は収縮の量を示す。したがって、コイルリダクション層３０６は、装飾層３０２の材料と実質的に等しい変化量で膨張及び／又は収縮する材料から成り、コイルリダクション層３０６が、補強層３０４のコイリングを低減させる反作用力を加えることを可能にする。
【００２８】
例えば、接着剤層３０８は、装飾的複合材３００が強固にパネル３１０に結合されることを可能にする、感圧接着剤（例えば、アクリル系感圧接着剤）から成る。ある実施例では、装飾的複合材３００がパネル３１０にしっかりと結合されることを更に可能にするために、パネル３１０にプライマー（ｐｒｉｍｅｒ）及び／又はシーラー（ｓｅａｌｅｒ）が塗布される。示されている実施例では、接着剤層３０８が、約０．００１インチ（０．０２５ミリメートル）と０．１インチ（２．５４ミリメートル）の間の厚さを有する。ある実施例において、接着剤層３０８は、接着剤層３０８が、パネル３１０（例えば、航空機１００の外面１１２及び／又はコンパートメント１１０内の表面）に耐火炎貫通性を提供することを可能にする難燃性添加剤を含む。接着剤層３０８は、パネル３１０に結合される。
【００２９】
そこからガス及び／又は蒸気（例えば、水蒸気）が発生し得るところの、示されている実施例のパネル３１０は、輸送体の表面（例えば、図１の航空機１００の外面１１２及び／又はコンパートメント１１０内の表面）、建物の表面、及び／又は別の構造物の表面を形成する。それらの上には、審美性、特定、及び／又は広告宣伝目的で、装飾的特徴が表示され得る。パネル３１０は、透過性及び／又は多孔性の材料（例えば、ハニカムコア、発泡コア、樹脂、強化繊維など）から成り、それらの材料は、ガス及び／又は蒸気がパネル３１０から逃げる及び／又は放出されることを可能にする。例えば、ガス及び／又は蒸気は、最初、パネル３１０のコア層内に補足されている。更に又は代替的に、ガス及び／又は蒸気は、パネル３１０が形成されるときに、パネル３１０の材料（例えば、ハニカムコア、発泡コア、樹脂、強化繊維など）の間の相互作用に起因して発生し得る。パネル３１０と外部環境との間で圧力差及び／又は温度差が生じているとき（例えば、コア層のより近くの圧力が、装飾層３０２のより近くの圧力よりも大きいとき）、捕捉されているガス及び／又は蒸気が、パネル３１０から逃げ及び／又は放出される。
【００３０】
図３で示されているように、装飾的複合材３００の内面３１２がパネル３１０に結合されている。接着剤層３０８、コイルリダクション層３０６、及び補強層３０４は、少なくとも部分的に透過性の材料から成り、パネル３１０から放出される一部のガス及び／蒸気（例えば、水蒸気）は、装飾的複合材３００の接着剤層３０８、コイルリダクション層３０６、及び補強層３０４を通って浸透し、装飾層３０２に至り得る。装飾層３０２は、実質的に無孔性及び／又は不浸透性の材料から成り、したがって、放出されたガス及び／又は蒸気を装飾層３０２と隣接する補強層３０４との間で捕捉する。捕捉されたガス及び／又は蒸気は、装飾層３０２及び／又は補強層３０４に力を加える内圧を生成する。補強層３０４の堅さは、捕捉されたガス及び／又は蒸気によって加えられた力を補強層３０４及び／又は装飾層３０２のより大きなセクションにわたり消散させ、装飾層３０２とパネル３１０との間の剥離を防止及び／又は抑制し（例えば、装飾層が泡立つことを防止及び／又は抑制し）及び／又は装飾層３０２とパネル３１０との間の剥離の距離を低減させる（例えば、泡立ちの視認を低減させる）。更に、補強層３０４の堅さは、パネル３１０の表面を、仕上げのために紙やすりをかける、掃引する、及び／又はさもなければ準備する必要なしに、装飾層３０２がパネル３１０に結合されたときに、視認可能な不規則及び／又は汚染物質（例えば、マークオフ、ピンホール、汚染物質、ステップなど）を隠し及び／又はさもなければカバーすることによる、装飾層３０２をパネル３１０に結合させることに関連する製造時間及び／又は費用を削減する。
【００３１】
図４は、本明細書で開示される教示による、別の例示的な装飾的複合材４００を示す。図４で示されるように、装飾的複合材４００は、装飾層３０２、補強層３０４（例えば、第１の補強層）、第２の補強層４０２、コイルリダクション層３０６、接着剤層３０８を含む。第１の補強層３０４は、集中力を消散させて、装飾層３０２の一部分とパネル３１０との間の剥離の距離を限定、最小化、及び／又は低減させ、コイルリダクション層３０６は、補強層３０４のコイリングを低減させて、装飾的複合材４００がパネル３１０に結合されることを可能にし、第２の補強層４０２は、装飾的複合材４００に更なるインシュレーション（例えば、騒音低減、耐火性）を提供する。
【００３２】
図４の装飾層３０２、第１の補強層３０４、コイルリダクション層３０６、接着剤層３０８、及びパネル３１０は、図３で同じ参照番号を有するそれらの構成要素と実質的に類似するか又は同一である。示されている実施例では、第２の補強層４０２が、装飾層３０２に結合され、第１の補強層３０４が、装飾層３０２に結合された第２の補強層４０２に結合される。更に、コイルリダクション層３０６が、第２の補強層４０２及び装飾層３０２とは反対側の第１の補強層３０４に結合され、接着剤層３０８がコイルリダクション層３０６に付けられて、装飾的複合材４００がパネル３１０に結合されることを可能にする。例えば、装飾層３０２に結合された第２の補強層４０２は、インシュレーションを提供するフォイル及び／若しくは他の層、繊維強化層、並びに／又は樹脂層を含む。例えば、第２の補強層４０２のフォイル層は、アルミニウム、及び／又は装飾的複合材４００によって提供される耐火性を増加させ及び／又は改良する任意の他の材料から成る。第２の補強層３０４は、第２の補強層４０２の樹脂が、装飾的複合材４００の隣接する層（例えば、装飾層３０２、補強層３０４）と共硬化されない結果として、少なくとも部分的に透過性及び／又は多孔性であり得る。
【００３３】
図５は、本明細書で開示される教示による、別の例示的な装飾的複合材５００を示す。図５で示されるように、装飾的複合材５００は、装飾層３０２、補強層３０４（例えば、第１の補強層）、第２の補強層５０２、コイルリダクション層３０６、接着剤層３０８を含む。補強層３０４、５０２は、集中力を消散させて、装飾層３０２の一部分とパネル３１０との間の剥離の距離を限定、最小化、及び／又は低減させ、コイルリダクション層３０６は、補強層３０４、５０２のコイリングを低減させて、装飾的複合材５００がパネル３１０に結合されることを可能にする。
【００３４】
図５の装飾層３０２、第１の補強層３０４、コイルリダクション層３０６、接着剤層３０８、及びパネル３１０は、図３で同じ参照番号を有するそれらの構成要素と実質的に類似するか又は同一である。更に、図５の第２の補強層５０２は、図３〜図５の補強層３０４と実質的に類似するか又は同一である。補強層３０４は、図３との関連で詳細に説明されたので、図５の第２の補強層５０２の幾つかの特性は、以下で更に詳細には説明されない。
【００３５】
図５で示されているように、第２の補強層５０２は、装飾層３０２に結合され、第１の補強層３０４は、装飾層３０２に結合された第２の補強層５０２に結合される。コイルリダクション層３０６が、第２の補強層５０２及び装飾層３０２とは反対側の第１の補強層３０４に結合され、接着剤層３０８がコイルリダクション層３０６に付けられて、装飾的複合材５００がパネル３１０に結合されることを可能にする。示されている実施例のパネル３１０から放出された一部のガス及び／又は蒸気（水蒸気）は、装飾的複合材５００の接着剤層３０８、コイルリダクション層３０６、及び補強層３０４、５０２を通って浸透し、装飾層３０２に至り得る。補強層３０４、５０２の堅さは、捕捉されたガス及び／又は蒸気によって加えられた力を、第１の補強層３０４及び／又は装飾層３０２のより大きなセクションにわたり消散させ、装飾層３０２とパネル３１０との間の剥離の距離を限定、最小化、及び／又は低減させる。
【００３６】
図６は、本明細書の教示による、接着ライナー６０４を介して共に結合された装飾タイル６０２の例示的な格子６００を示す。以下で更に詳細に開示されるように、接着ライナー６０４は、湾曲した表面に装飾タイル６０２が結合されることを可能にする格子６００を形成する。
【００３７】
図６の装飾タイル６０２の各々は、図３の装飾的複合材３００、図４の装飾的複合材４００、及び／又は図５の装飾的複合材５００と実質的に類似し得る又は同一であり得る。装飾的複合材３００、４００、及び５００は、それぞれ、図３〜図５との関連で詳細に説明されたので、図６の装飾タイル６０２の幾つかの特性は、以下では更に詳細に説明されない。
【００３８】
格子６００は、接着ライナー６０４を介して共に結合された装飾タイル６０２の行及び／又は列を含む。示されている実施例では、格子６００が、第１の行６０６、第２の行６０８など、及び、第１の列６１０、第２の列６１２などを含む。第１の装飾タイル６１４は、格子６００の第１の行６０６及び第１の列６１０の部分を形成し、隣接する第２の装飾タイル６１６は、格子６００の第１の行６０６及び第２の列６１２の部分を形成する。第１の行６０６では、第１の装飾タイル６１４の端部６１８（例えば、第１の端部）と隣接する第２の装飾タイル６１６の端部６２０（例えば、第２の端部）が、端部６１８と６２０との間に配置された接着ライナー６０４の一部分６２２を介して共に結合されている。更に、第１の行６０６の端部６２４（例えば、第３の端部）と隣接する第２の行６０８の端部６２６（例えば、第４の端部）が、端部６２４と６２６との間に配置された接着ライナー６０４の一部分６２８を介して共に結合されている。例えば、接着ライナー６０４は、隣接する装飾タイル６０２の補強層（例えば、図３〜図５の補強層３０４、図４の補強層４０２、図５の補強層５０２）及び／又はコイルリダクション層（例えば、図３〜図５のコイルリダクション層３０６）の端部（例えば、端部６１８、６２０、端部６２４、６２６）に付けられ、装飾タイル６０２を共に結合させる。したがって、装飾タイル６０２の格子６００を形成するために、接着ライナー６０４が、装飾タイル６０２の間に配置され、それぞれの装飾タイル６０２の端部を共に結合させる。他の実施例では、装飾タイル６０２（例えば、単一のシートに結合される装飾タイル６０２の各々の表面）が、接着シートに結合され、格子６００を形成する。
【００３９】
示されている実施例の装飾タイル６０２は、行と列（例えば、行６０６、６０８、列６１０、６１２）で配置されているが、装飾タイル６０２の格子６００は、他のパターン（例えば、ジグザグ状、斜め状など）を形成し得る。更に、示されている実施例では、格子６００の装飾タイル６０２は矩形状（例えば、正方形状）である。例えば、装飾タイル６０２の各々は、約２インチ（５０．８ミリメートル）と約３インチ（７６．２ミリメートル）の間の幅及び／又は長さを有する。他の実施例では、装飾タイルが、別の多角形状（例えば、三角形状、五角形状、七角形状など）、円形状、楕円形状、及び／又は任意の他の形状であり得る。ある実施例では、装飾タイル６０２が約０．１２５インチ（３．１７５ミリメートル）だけ互いから間隔を空けられるように、ライナー６０４が、約０．１２５インチ（３．１７５ミリメートル）の幅を有する。
【００４０】
例えば、接着ライナー６０４は、格子６００がたわむ及び／又は曲がる、したがって、湾曲した表面に結合されることを可能にする、柔軟な材料から成る。接着ライナー６０４の柔軟な材料は、接着ライナー６０４を通ってガス及び／又は蒸気が横断できることを防止及び／又は抑制するために、実質的に伸縮不可能であり得る。例えば、接着ライナー６０４は、装飾タイル６０２の補強層（例えば、図３〜図５の補強層３０４、図４の補強層４０２、及び／又は図５の補強層５０２）の樹脂材料から成り、接着ライナー６０４がたわむことを可能にするために、装飾タイル６０２の補強層の厚さ未満の厚さを有する。更に又は代替的に、接着ライナー６０４は、ガス及び／又は蒸気（例えば、図３〜図５のパネル３１０から放出された水蒸気）が装飾タイル６０２から離れることを可能にする透過性材料から成り、装飾タイル６０２のうちの１つの装飾層３０２（図３〜図５参照）の一部分が、ガス及び／又は蒸気の蓄積からの力によってパネル３１０から剥離することを防止及び／又は抑制する（例えば、装飾タイル６０２内の泡立ちを防止及び／又は抑制する）。
【００４１】
更に、装飾タイル６０２の格子６０２は、装飾タイル６０２及び／又は接着ライナー６０４の局所的な修理を可能にする。例えば、接着ライナー６０４の一部分が損傷を受けたならば、接着ライナー６０４のその部分は、接着ライナー６０４の他の部分及び／又は装飾タイル６０２に影響を与えることなしに、除去され、修理され、及び／又は交換され得る。同様に、装飾タイル６０２のうちの１つ（例えば、第１の装飾タイル６１４、第２の装飾タイル６１６）は、接着ライナー６０４及び／又は他の装飾タイル６０２に影響を与えることなしに、除去され、修理され、及び／又は交換され得る。
【００４２】
図７は、本明細書の教示による、例示的な装飾的複合材を組み立てるための例示的な方法７００のフローチャートである。例示的な方法７００が、図７で示されるフローチャートを参照しながら説明されるが、装飾的複合材を組み立てるための多くの他の方法も代替的に使用され得る。例えば、ブロックの実行順は変更されてよく、及び／又は記載されているブロックの幾つかは、変更、除外、及び／又は組み合わされてよい。
【００４３】
装飾的複合材を組み立てるための方法７００は、図３の装飾的複合材３００、図４の装飾的複合材４００、図５の装飾的複合材、及び／又は図６の装飾タイル６０２との関連で説明される。更に、方法７００は、図３の装飾的複合材３００、図４の装飾的複合材４００、図５の装飾的複合材、及び／又は図６の装飾タイルに言及し得るので、以下で説明される構成要素の機能と実質的に類似するか又は同一な機能を有する図３〜図６で特定される構成要素は、再び詳細に説明されることはない。代わりに、類似の構造に対しては同一の参照番号が使用される。
【００４４】
本明細書で開示される例示的な方法７００は、ブロック７０２において、装飾的複合材（例えば、図３の装飾的複合材３００、図４の装飾的複合材４００、図５の装飾的複合材、図６の装飾タイル）が、フォイル層を有する補強層（例えば、図４の補強層４０２）を含むか否かを判定することによって開始する。装飾的複合材がそのような補強層を含むならば、フォイル層を有する補強層が、装飾層（例えば、図３〜図５の装飾層３０２）に結合される（ブロック７０４）。装飾的複合材がそのような補強層を含まないならば、フォイル層を有さない補強層（例えば、図３の補強層３０４、図５の補強層５０２）が、装飾層に結合される（ブロック７０６）。
【００４５】
ブロック７０８において、例示的な方法７００は、装飾的複合材が別の補強層（例えば、図４、図５の補強層３０４）を含むか否かを判定する。装飾的複合材が別の補強層を含まないならば、コイルリダクション層（例えば、図３〜図５のコイルリダクション層３０６）が、ブロック７０６又はブロック７０８の補強層に結合される（ブロック７１０）。装飾的複合材が別の補強層を含むならば、その別の補強層が、ブロック７０６又はブロック７０８の補強層に結合される（ブロック７１２）。続いて、ブロック７１４では、コイルリダクション層がその別の補強層に結合される（ブロック７１４）。ブロック７１６では、例示的な方法７００が、接着剤層（例えば、図３〜図５の接着剤層３０８）を、コイルリダクション層に付け、装飾的複合材を形成することを含む。
【００４６】
図８は、本明細書の教示による、例示的な装飾タイルの例示的な格子を組み立てるための例示的な方法８００のフローチャートである。例示的な方法８００が、図８で示されるフローチャートを参照しながら説明されるが、装飾タイルの格子を組み立てるための多くの他の方法も代替的に使用され得る。例えば、ブロックの実行順は変更されてよく、及び／又は記載されているブロックの幾つかは、変更、除外、及び／又は組み合わされてよい。
【００４７】
装飾タイルの格子を組み立てるための方法８００は、図６の格子６００との関連で説明される。更に、方法８００は、図６の格子６００に言及し得るので、以下で説明される構成要素の機能と実質的に類似するか又は同一の機能を有する図６で特定された構成要素は、再び詳細に説明されることはない。代わりに、類似の構造に対しては同一の参照番号が使用される。
【００４８】
本明細書で開示される例示的な方法８００は、ブロック８０２において、装飾タイル（例えば、図６の装飾タイル６０２の第１の装飾タイル６１４）を組み立てることによって開始する。ブロック８０４では、接着ライナー（例えば、図６の接着ライナー６０４の一部分６２２）が、装飾タイルの端部（例えば、図６の端部６１８）に付けられる。更に、ブロック８０６では、別の装飾タイル（例えば、図６の装飾タイル６０２の第２の装飾タイル６１６）が組み立てられる。ブロック８０８では、他の装飾タイルの端部（例えば、図６の端部６２０）が、付けられた接着ライナーに結合され、装飾タイルの格子（例えば、図６の格子６００）の行（例えば、図６の第１の行６０６）を形成する。
【００４９】
例示的な方法８００は、別の装飾タイル（図６の装飾タイル６０２の別のもの）を、その行内に含むか否かを判定することを含む（ブロック８１０）。装飾タイルのうちの別のものが、その行内に含まれるならば、ブロック８０２、８０４、８０６、８０８、８１０は、繰り返される。例えば、もう他の装飾タイルが、その行に加えられなくなるまで、ブロック８０２、８０４、８０６、８０８、８１０が、繰り返される。
【００５０】
ブロック８１２において、例示的な方法８００は、装飾タイルの別の行（例えば、図６の第２の行６０８）を含んで、装飾タイルの格子（例えば、図６の格子６００）の列（例えば、図６の第１の列及び第２の列）を形成するか否かを特定することを含む。別の行が特定されるならば、接着ライナー（例えば、図６の接着ライナー６０４の一部分６２８）が、装飾タイルの以前に形成された行の端部（例えば、図６の端部６２４）に付けられる。更に、ブロック８０２、８０４、８０６、８０８、８１０が、繰り返されて、装飾タイルの行が共に結合される。図８で示されているように、ブロック８０２、８０４，８０６、８０８、８１０、８１２、８１４は、もう装飾タイルの他の行が特定されなくなるまで、繰り返される。
【００５１】
更に、本開示は下記の条項による実施例を含む。
条項１
装飾層、前記装飾層に結合された堅さを有する第１の補強層、前記装飾層に結合された前記第１の補強層に結合されたコイルリダクション層であって、第１の力を前記第１の補強層に加えて、前記装飾層によって加えられた反対向きの第２の力に反作用し、前記第１の補強層のコイリングを低減させる、コイルリダクション層、及び前記第１の補強層に結合された前記コイルリダクション層に付けられ、前記装飾層がパネルに結合されることを可能にする、接着剤層を備え、前記第１の補強層の前記堅さが、前記第１の補強層が前記第１の補強層と前記装飾層との間に配置されたガス又は蒸気のうちの少なくとも一方によって加えられた力を分散させることを可能にし、前記パネルから前記装飾層の一部分が剥離することを抑制する、装置。
条項２
前記第１の補強層が、前記ガス又は蒸気のうちの少なくとも一方によって加えられた力を消散させて、前記パネルから前記装飾層の前記一部分が剥離することを抑制する、堅さを有する樹脂層を含む、条項１に記載の装置。
条項３
前記第１の補強層が、予め含浸された層である、条項２に記載の装置。
条項４
前記装飾層と前記第１の補強層との間に配置された第２の補強層を更に含む、条項１又は２に記載の装置。
条項５
前記第２の補強層が、耐火性を提供するフォイル層を含む、条項４に記載の装置。
条項６
前記コイルリダクション層が、ポリフッ化ビニルのフィルムである、条項１に記載の装置。
条項７
前記第１の補強層の前記堅さが、前記パネルから前記装飾層の前記一部分が剥離することを防止するか又は前記装飾層の前記一部分と前記パネルとの間の剥離の距離を低減させるうちの少なくとも一方である、条項１に記載の装置。
条項８
接着ライナーを介して共に結合された装飾タイルを更に含み、前記装飾タイルが、前記装飾層、前記第１の補強層、前記コイルリダクション層、及び前記接着剤層を含む、条項１から７のいずれか一項に記載の装置。
条項９
前記装飾タイルが複数の行と複数の列で組み立てられ、前記接着ライナーが、前記装飾タイルの前記複数の列、及び、前記複数の行の間の格子を形成する、条項８に記載の装置。
条項１０
前記接着ライナーが、湾曲した表面に前記装飾タイルが結合されることを可能にするように柔軟である、条項８に記載の装置。
条項１１
前記接着ライナーが、前記装飾タイルの各々の前記装飾層から前記ガス又は蒸気のうちの少なくとも一方を通気して放出する透過性材料から成り、前記装飾タイルの各々の前記装飾層が前記パネルから剥離することを防止する、条項８に記載の装置。
条項１２
パネルを装飾するための手段、前記装飾するための手段に結合された補強するための手段、前記補強するための手段のコイリングを低減させるための手段であって、前記装飾するための手段に結合された前記補強するための手段に結合され、第１の力を前記補強するための手段に加えて、前記装飾するための手段によって加えられた反対向きの第２の力に反作用し、前記補強するための手段のコイリングを低減させるための手段、及び前記補強するための手段に結合された前記コイリングを低減させるための手段に付けられ、前記装飾するための手段がパネルに結合されることを可能にする、結合させるための手段を備え、前記補強するための手段が堅さを有し、前記堅さが、前記補強するための手段が前記補強するための手段と前記装飾するための手段との間に配置されたガス又は蒸気のうちの少なくとも一方によって加えられた力を分散させることを可能にし、前記パネルから前記装飾するための手段の一部分が剥離することを抑制する、装置。
条項１３
前記補強するための手段が、前記パネルから前記装飾するための手段の前記一部分が剥離することを防止するか又は前記装飾するための手段の前記一部分と前記パネルとの間の剥離の距離を低減させるうちの少なくとも一方である、条項１２に記載の装置。
条項１４
堅さを有する第１の補強層を装飾層に結合させること、コイルリダクション層を前記装飾層に結合された前記第１の補強層に結合させることであって、前記コイルリダクション層が、第１の力を前記第１の補強層に加えて、前記装飾層によって加えられた反対向きの第２の力に反作用し、前記第１の補強層のコイリングを低減させる、結合させること、及び接着剤層を前記第１の補強層に結合された前記コイルリダクション層に付けて、前記装飾層がパネルに結合されることを可能にすることを含み、前記第１の補強層の前記堅さが、前記第１の補強層が前記第１の補強層と前記装飾層との間に配置されたガス又は蒸気のうちの少なくとも一方によって加えられた力を分散させることを可能にし、前記パネルから前記装飾層の一部分が剥離することを抑制する、方法。
条項１５
前記第１の補強層の樹脂層を硬化させることを更に含み、前記第１の補強層が、前記樹脂層と繊維強化層を含む予め含浸された層である、条項１４に記載の方法。
条項１６
前記第１の補強層を前記装飾層に結合させることが、前記第１の補強層を第２の補強層に結合させること及び前記第２の補強層を前記装飾層に結合させることを含む、条項１４又は１５に記載の方法。
条項１７
接着ライナーを介して共に結合された装飾タイルの格子を形成することを更に含み、前記装飾タイルが、前記装飾層、前記第１の補強層、前記コイルリダクション層、及び前記接着剤層を含む、条項１４から１６のいずれか一項に記載の方法。
条項１８
前記接着ライナーを前記装飾タイルのうちの第１のものの第１の端部に付けること、及び前記装飾タイルのうちの第２のものの第２の端部を前記装飾タイルのうちの前記第１のものの前記第１の端部に結合させることによって、前記装飾タイルの第１の行を形成することを更に含む、条項１７に記載の方法。
条項１９
前記接着ライナーを前記装飾タイルの前記第１の行の第３の端部に付けること、及び前記装飾タイルの第２の行の第４の端部を前記装飾タイルの前記第１の行の前記第３の端部に結合させることによって、前記装飾タイルの列を形成することを更に含む、条項１８に記載の方法。
条項２０
前記接着ライナーを前記装飾タイルの端部に付けることを更に含み、前記接着ライナーが、湾曲した表面に前記装飾タイルが結合されることを可能にするように柔軟である、条項１７に記載の方法。
【００５２】
本明細書では特定の例示的な方法及び装置が記載されてきたが、本特許出願の範囲はこれらに限定されるものではない。そうではなく、この特許出願は、文字通りに又は均等論の下で補正された特許請求の範囲に適正に入る全ての方法、装置、及び製品に及ぶ。
【図１】
2018034496.tif 000003
【図２Ａ】
2018034496.tif 000004
【図２Ｂ】
2018034496.tif 000005
【図３】
2018034496.tif 000006
【図４】
2018034496.tif 000007
【図５】
2018034496.tif 000008
【図６】
2018034496.tif 000009
【図７】
2018034496.tif 000010
【図８】
2018034496.tif 000011
【外国語明細書】
2018034496000001.pdf
2018034496000002.pdf
2018034496000003.pdf
2018034496000004.pdf